(57)【要約】      （修正有）【課題】肌の状態感知機能を備えてカスタマイズ型複合刺激が加えられる肌の機能改善用の立体陰圧複合刺激器モジュールを提供する。【解決手段】コップ内の空気を下部から上部へと流すように排気する陰圧伝達経路でもって陰圧刺激を肌に加えることを可能とした陰圧コップと、陰圧コップの陰圧伝達経路に多重に配設される第１の隔板２０１および第２の隔板２０２と、を少なくとも含む。第２の隔板に第１の隔板と接触または接近した目的部位又は肌に刺激を加える光刺激素子を設けてある。第１の隔板および第２の隔板に設けた第１の排気熱孔２０４および第２の排気熱孔２０５を通る空気の流れが、陰圧コップのハウジング２０３に一箇所設けた第３の排気熱孔２０６に集約する。【選択図】図３
0003218105.tif 000002
【実用新案登録請求の範囲】
【請求項１】
コップ内の空気を下部から上部へと流すように排気する陰圧伝達経路でもって陰圧刺激を肌に加えることを可能とした陰圧コップと、
前記陰圧コップの陰圧伝達経路に多重に配設される多重の隔板と、
を備え、
前記多重の隔板は、
目的部位又は肌と接触されるか、或いは、目的部位又は肌に最も近く配設される、第１の隔板と、
前記第１の隔板から垂直方向又は上下方向に既に設定された距離だけ離れて前記目的部位又は肌と接触されないように配設される第２の隔板と、
を少なくとも含んでなり、
前記第２の隔板に、前記第１の隔板と接触または接近した目的部位又は肌に刺激を加える光刺激素子を設けてあり、
前記陰圧伝達経路は、前記第１の隔板に複数設けた第１の排気熱孔と、前記第２の隔板に複数設けた第２の排気熱孔と、前記陰圧コップのハウジングに一箇所設けた第３の排気熱孔とで形成され、前記第１の排気熱孔および第２の排気熱孔を通る空気の流れが第３の排気熱孔に集約することを特徴とする、
カスタマイズ型複合刺激が加えられる肌の機能改善用の立体陰圧複合刺激器モジュール。
【請求項２】
さらに、熱刺激、電気刺激及び温熱刺激のうちの少なくともいずれか一つの刺激を目的部位又は肌に伝える刺激素子を含むことを特徴とする請求項１に記載のカスタマイズ型複合刺激が加えられる肌の機能改善用の立体陰圧複合刺激器モジュール。
【請求項３】
さらに、前記目的部位又は肌から状態がフィードバックされる感知素子を備えることを特徴とする請求項１または２に記載のカスタマイズ型複合刺激が加えられる肌の機能改善用の立体陰圧複合刺激器モジュール。
【請求項４】
前記第１の隔板は、全体の形状が半球状又は凹状を呈して陰圧による前記目的部位又は肌の最大の変形度を物理的に制限し、凹方向に前記肌が変形され且つ突出して前記第１の隔板に接触されることを特徴とする請求項１乃至３のうち何れか１項に記載のカスタマイズ型複合刺激が加えられる肌の機能改善用の立体陰圧複合刺激器モジュール。
【請求項５】
前記第２の隔板は、全体の形状が半球状、凹状、凸状及び平面状のうちの少なくともいずれか一つを呈することを特徴とする請求項１乃至４のうち何れか１項に記載のカスタマイズ型複合刺激が加えられる肌の機能改善用の立体陰圧複合刺激器モジュール。
【請求項６】
前記第１の隔板及び第２の隔板は、断面形状が円形又は多角形状を呈し、前記目的部位又は肌と接触する接触面の全体又は一部の表面形状が平面状、鋸歯状、円筒状、パルス状及び波打ち状のうちの少なくともいずれか一つを呈して、陰圧による前記目的部位又は肌の最大の変形度を物理的に制限することを特徴とする請求項１乃至５のうち何れか１項に記載のカスタマイズ型複合刺激が加えられる肌の機能改善用の立体陰圧複合刺激器モジュール。
【請求項７】
前記第１の隔板が前記陰圧コップの内側に配設される一体型構造又は前記第１の隔板が前記陰圧コップと分離される分離型構造であり、前記一体型構造は、前記第１の隔板の位置を垂直方向又は上下方向に調節することにより、陰圧による前記目的部位又は肌の最大の変形度を調節し、前記分離型構造は、前記陰圧が有効に伝わるように空気の流れを選択的に遮断又は許容する構造であることを特徴とする請求項１乃至６のうち何れか１項に記載のカスタマイズ型複合刺激が加えられる肌の機能改善用の立体陰圧複合刺激器モジュール。
【請求項８】
前記空気を通過させて陰圧を形成する排気熱孔が、前記第１及び第２の隔板の表面に沿って一部の領域又は全体の領域に形成されることを特徴とする請求項１乃至７のうち何れか１項に記載のカスタマイズ型複合刺激が加えられる肌の機能改善用の立体陰圧複合刺激器モジュール。
【請求項９】
前記排気熱孔の形状は、線形、円形、多角形、文字状、記号状及びプレート状のうちの少なくともいずれか一つを呈することを特徴とする請求項８に記載のカスタマイズ型複合刺激が加えられる肌の機能改善用の立体陰圧複合刺激器モジュール。
【請求項１０】
前記排気熱孔は、前記光刺激素子または刺激素子から発振された刺激を前記目的部位又は肌に到達させる通路であるか、或いは、前記目的部位又は肌から状態を感知させる通路であり、前記排気熱孔が形成された領域では、より高い陰圧刺激が前記目的部位又は肌に伝わることを特徴とする請求項８または９に記載のカスタマイズ型複合刺激が加えられる肌の機能改善用の立体陰圧複合刺激器モジュール。
【請求項１１】
前記第１の隔板には、陰圧刺激が加えられるとき、前記目的部位又は肌の変形度を既に設定された変形度に立体的に調節するように凹凸部が形成され、前記目的部位又は肌が前記凹凸部により空間的に変形、膨張又は再配列されて陰圧刺激を受けることを特徴とする請求項１乃至１０のうち何れか１項に記載のカスタマイズ型複合刺激が加えられる肌の機能改善用の立体陰圧複合刺激器モジュール。
【請求項１２】
前記凹凸部は、円筒状、円球状、三角錐状及び四角錐状のうちの少なくともいずれか一つを呈して前記目的部位又は肌の部分的な変形度を既に設定された変形度に調節することを特徴とする請求項１１に記載のカスタマイズ型複合刺激が加えられる肌の機能改善用の立体陰圧複合刺激器モジュール。
【請求項１３】
前記光刺激素子は、発光ダイオード（ＬＥＤ）素子及びレーザ素子のうち少なくともいずれか一つであることを特徴とする請求項１乃至１２のうち何れか１項に記載のカスタマイズ型複合刺激が加えられる肌の機能改善用の立体陰圧複合刺激器モジュール。
【請求項１４】
前記刺激素子は、電気刺激用の素子及び熱刺激用の素子のうち少なくともいずれか一つであることを特徴とする請求項２、または請求項２を引用する請求項３乃至１３のうち何れか１項に記載のカスタマイズ型複合刺激が加えられる肌の機能改善用の立体陰圧複合刺激器モジュール。
【請求項１５】
前記感知素子は、温度センサー、インピーダンスセンサー、血流センサー及び圧力センサーのうち少なくともいずれか一つであることを特徴とする請求項３、または請求項３を引用する請求項４乃至１４のうち何れか１項に記載のカスタマイズ型複合刺激が加えられる肌の機能改善用の立体陰圧複合刺激器モジュール。
【請求項１６】
陰圧の強度を経時的に制御し、前記光刺激素子、刺激素子及び感知素子のうち少なくとも何れかを制御する制御部を更に備えることを特徴とする請求項１乃至１５のうち何れか１項に記載のカスタマイズ型複合刺激が加えられる肌の機能改善用の立体陰圧複合刺激器モジュール。
【請求項１７】
前記目的部位又は肌には、前記制御部による時間的な立体刺激及び前記凹凸部による空間的な立体刺激を含む時空間的且つ立体的な陰圧刺激が伝わることを特徴とする請求項１１を引用する請求項１６に記載のカスタマイズ型複合刺激が加えられる肌の機能改善用の立体陰圧複合刺激器モジュール。
【考案の詳細な説明】
【技術分野】
【０００１】
本考案は、カスタマイズ型複合刺激が加えられる肌の機能改善用の立体陰圧複合刺激器モジュールに係り、更に詳しくは、立体的な陰圧刺激を中心として肌の機能の改善に役立つ電流、光、温熱及び陰圧などの刺激を複合的に実現するが、肌の状態感知機能を備えてカスタマイズ型複合刺激が加えられる肌の機能改善用の立体陰圧複合刺激器モジュールに関する。
【背景技術】
【０００２】
肌は、老化が進むことに伴い、コラーゲン線維の配列及び方向性が変わり、特に、真皮層においてタイプ１コラーゲンが肌の表面と平行な方向に配列され、水及びコラーゲン間の相互作用が減る。光老化された肌の特性が、コラーゲン線維及びエラスチン線維の損傷及び変性である。コラーゲン線維及びエラスチン線維の減少により肌の弾性が減る。若い年齢代は、細いコラーゲン線維が高密度にて分布し、高齢層では、太いコラーゲン線維が粗く分布する。これが、シワ形成機序であると認められる。
シワを治療することにより、コラーゲン線維及びエラスチン線維が増え、弾性が改善される他、シワが減る。例えば、非侵襲的な装備としての長パルス状１０６４ｎｍ  Ｎｄ：ＹＡＧレーザ（ＬＰＮＤ）を肌の深くに浸透することにより、コラーゲン線維及びエラスチン線維が増殖されて良好な効果が得られ、インテンスパルスライト（ＩＰＬ：ｉｎｔｅｎｓｅ  ｐｕｌｓｅｄ  ｌｉｇｈｔ）を照射することにより、コラーゲン線維の肥厚化をもたらし、肌の機能の改善効果及びシワの改善効果が得られる。吸角刺激療法としても長期間に亘って活用されてきた陰圧刺激を加えると、肌の弾力特性により肌が膨張する。特に、陰圧を加えながら光刺激（発光ダイオード（ＬＥＤ）若しくはインテンスパルスライト（ＩＰＬ）など）を照射する方法は、単なる光刺激に比べてコラーゲン修復に必要な刺激時間を短縮させるだけではなく、尋常性挫瘡、血管病巣、色素沈着、毛孔除去、皮脂腺などからの異物の除去及び肌の美白などの効果を一層効率よく誘導するというメリットがあることが知られている。
周知の研究結果に基づいて開発されているシワの改善用の美容機器としては、大きく、微細電流を流しながらマッサージを行う単純刺激装置と、光刺激、振動刺激及び陰圧刺激を同時に肌に加える複合刺激装置などが挙げられる。しかしながら、このような既存の方法は、陰圧と肌や皮下組織の変化の最大値を有効に統制できず、単に陰圧刺激のみを加えてしまってコラーゲン線維やエラスチン線維の立体的な再配列、膨張刺激が加えられないなど機器が目指すシワの改善をはじめとする各種の肌の機能の改善効果が得られ難いという問題があった。また、陰圧刺激を所定の範囲内において有効に統制できなければ、色素の過沈着などの問題が発生する虞がある。陰圧刺激の場合、皮膚疾患及び呼吸器疾患などの治療にも活用されてきたため、既存の方法の欠点を改善し、最適な刺激を加えるように改善される必要があった。
一方、従来の陰圧刺激をはじめとする複合刺激方法のうちの一つ（特許文献１「スマート吸角治療装置」）は、吸角コップ構造物の開口部を横切りながら閉塞する膜構造である弾性膜が肌に接触し、この弾性膜が加熱されて弾性膜を介して温熱刺激が肌に加えられるように講じられている。しかしながら、弾性膜が陰圧及び温熱を有効に伝えるためには弾性膜の材料の特性に伴う制約が発生する虞があり、弾性膜は、強固な材質で製作すれば弾性が維持され難く、繰り返しの施術により弾性膜に僅かに構造的な欠陥が発生すると、陰圧及び温熱の伝達という本来の目的を達成し難いため弾性膜をはじめとする部品を頻繁に取り替えることを余儀なくされるという問題があった。また、たとえセンサーで陰圧を感知して陰圧の強さを調節するとしても、個人別の肌の引っ張り特性、弾性特性が多岐に亘るため同じ陰圧下で加えられる肌や皮下組織の変形度が各種多様であるため、肌や皮下組織の変形度を自ら有効に制御できない結果、過度に肌や皮下組織の変形が起きて静脈出血、色素沈着過度、しきい値異常刺激など不良反応が現れる虞があるという欠点があった。
従来の陰圧刺激をはじめとする複合刺激方法のうちの一つ（特許文献２「レーザダイオードを備える携帯用吸角装置」）は、吸角コップ構造物内に支持部材が配設され、当該支持部材が肌接面の中央の位置において肌に接触した状態を維持するため、刺激を与える際に吸角コップ構造物内の陰圧により肌及び肌の近くの組織の変形が起きるとき、支持部材により変形が制約され、陰圧による刺激効果が半減するという問題があった。
従来の発光ダイオード（ＬＥＤ）素子を用いた光刺激の肌の改善機器の一つ（特許文献３「携帯し易い発光ダイオード（ＬＥＤ）を用いた肌の改善用の治療機」）では、可視光、近赤外線、遠赤外線のうちの一つを照射する発光ダイオード（ＬＥＤ）発光部として５つの発光ダイオード（ＬＥＤ）チップのうちから選ばれるいずれか一つ若しくは２以上の発光ダイオード（ＬＥＤ）チップを配置して携帯し易い発光ダイオード（ＬＥＤ）治療機を実現した。しかしながら、電流及び陰圧その他の刺激を複合的に加えることはできないという問題があった。
従来の陰圧刺激をはじめとする複合刺激方法のうちの一つ（特許文献４「陰圧及び高周波発生型複合ハンドセット」）は、陰圧、高周波による深部熱刺激を加えるように講じられた装置であり、吸角コップの肌接面に沿って円形に高周波導子を配置した。しかしながら、陰圧が加えられる広い接触面が治療点であるにも拘わらず、当該部位には高周波刺激が加えられず、周縁にのみ円形状に高周波刺激を加えなければならないため、所要の広い接触面部位には直接的に刺激が加えられないという限界があり、狭い円形の周縁にのみ導子を配置して刺激を与えるため、刺激効果が非常に制限的であるという限界があった。
特に、複合刺激装置の場合、吸角コップ開口部の全体の円形部位が刺激部位になるにも拘わらず、非常に狭い円周部位にのみ電気若しくは磁気の刺激を加えるため、広い部位に対する複合刺激が実現されないという問題があった。また、吸角コップ開口部の肌接面に沿って円周状の狭い部位にのみ電気若しくは磁気の刺激素子を配置して狭い肌接面を介してのみ電気、磁気、温熱の刺激を加えると、伝達素子の肌接面が狭いとき、肌接面におけるインピーダンス抵抗が増大されて肌を介して電気若しくは磁気の刺激を有効に伝え難いという問題があった。
上述したように、従来より、電気刺激、光若しくは熱刺激、陰圧刺激を複合的に行う装置が提案されてきたが、広い接触面に対して単なる陰圧刺激しか加えられないか、或いは、たとえ電気、光若しくは熱などの複合刺激を加えるとしても狭い面積に制限的な刺激しか加えられないという問題があった。
【先行技術文献】
【特許文献】
【０００３】
【特許文献１】大韓民国公開特許第１０−２０１３−００５３０９９号公報
【特許文献２】大韓民国登録特許第１０−１０４２８３７号公報
【特許文献３】大韓民国登録実用新案第２０−０４７２４５４号公報
【特許文献４】大韓民国登録特許第１０−１０８９７３７号公報
【考案の概要】
【考案が解決しようとする課題】
【０００４】
したがって、本考案は、上述した如き問題を解消するために案出されたものであり、既存の単なる陰圧刺激を脱した本考案の立体陰圧刺激は、陰圧で肌や皮下組織の変形及び再配列を誘導するとき、３次元空間における様々な立体的な変形を誘導することにより、シワの改善など肌の機能の改善の目的に応じて最適化した形の陰圧刺激を加え、且つ、経時的に陰圧の強度を調節して陰圧を用いて肌や皮下組織の立体的な再配列を有効に統制し、しかも、陰圧刺激が加えられる広い肌接面積に対して光、熱及び電気刺激などの複合刺激と、肌及び肌近くの組織の状態に対する複合的な感知とを精度よく且つ安定的に行うことにより、肌の状態に合わせた複合刺激を実現する考案を提供するところにその目的がある。
しかしながら、本考案の諸目的は、上述した目的に何ら制限されるものではなく、未言及の他の目的は、下記の記載から当業者にとって明確に理解できるであろう。
【課題を解決するための手段】
【０００５】
上述した本考案の目的は、陰圧コップと、陰圧コップの陰圧伝達経路の上に配設される少なくとも一枚の隔板と、を備え、陰圧刺激、光刺激、熱刺激、電気刺激及び温熱刺激のうちの少なくともいずれか一つの刺激を肌若しくは皮下組織に複合的に伝えることを特徴とするカスタマイズ型複合刺激が加えられる肌の機能改善用の立体陰圧複合刺激器モジュールにより達成される。
好ましくは、陰圧伝達経路は、陰圧コップの下部から上部へと空気が流れるように形成される経路であって、陰圧コップ内の空気を排気して陰圧刺激を肌に加える。
また、好ましくは、隔板は、陰圧伝達経路の上に単一又は多重に配設され、隔板が多重に配設される場合、目的部位又は肌と接触されるか、或いは、目的部位又は肌に最も近く配設される第１の隔板と、第１の隔板から垂直方向又は上下方向に既に設定された距離だけ離れて目的部位又は肌と接触されないように配設される第２の隔板と、を備える。
更に、好ましくは、第１の隔板は、全体の形状が半球状又は凹状を呈して陰圧による目的部位又は肌の最大の変形度を物理的に制限し、凹方向に肌が変形され且つ突出して第１の隔板に接触される。
更にまた、好ましくは、第２の隔板は、全体の形状が半球状、凹状、凸状及び平面状のうちの少なくともいずれか一つを呈する。
更にまた、好ましくは、第１の隔板及び第２の隔板は、断面形状が円形又は多角形状を呈し、目的部位又は肌と接触する接触面の全体又は一部の表面形状が平面状、鋸歯状、円筒状、パルス状及び波打ち状のうちの少なくともいずれか一つを呈して、陰圧による目的部位又は肌の最大の変形度を物理的に制限する。
更にまた、好ましくは、第１の隔板は、周縁領域を広く形成することにより、目的部位又は肌を刺激する刺激素子及び目的部位又は肌の状態を感知する感知素子のうちの少なくともいずれか一方を必要に応じて配置する。
更にまた、好ましくは、第１の隔板が前記陰圧コップの内側に配設される一体型構造又は第１の隔板が前記陰圧コップと分離される分離型構造であり、一体型構造は、第１の隔板の位置を垂直方向又は上下方向に調節することにより、陰圧による目的部位又は肌の最大の変形度を調節し、分離型構造は、陰圧が有効に伝わるように空気の流れを選択的に遮断又は許容する構造である。
更にまた、好ましくは、空気を通過させて陰圧を形成する排気熱孔が、第１及び第２の隔板の表面に沿って一部の領域又は全体の領域に形成される。
更にまた、好ましくは、排気熱孔の形状は、線形、円形、多角形、文字状、記号状及びプレート状のうちの少なくともいずれか一つを呈する。
更にまた、好ましくは、第１の隔板には、陰圧刺激が加えられるとき、目的部位又は肌の変形度を既に設定された変形度に立体的に調節するように凹凸部が形成され、目的部位又は肌が凹凸部により空間的に変形、膨張又は再配列されて陰圧刺激を受ける。
更にまた、好ましくは、凹凸部は、円筒状、円球状、三角錐状及び四角錐状のうちの少なくともいずれか一つを呈して目的部位又は肌の部分的な変形度を既に設定された変形度に調節する。
更にまた、好ましくは、第１の隔板又は第２の隔板は支持台であり、目的部位又は肌に刺激を加える刺激素子、又は、目的部位又は肌から状態がフィードバックされる感知素子を備える。
更にまた、好ましくは、排気熱孔は、刺激素子から発振された刺激を目的部位又は肌に到達させる通路であるか、或いは、目的部位又は肌から状態を感知させる通路であり、排気熱孔が形成された領域では、より高い陰圧刺激が目的部位又は肌に伝わる。
更にまた、好ましくは、第１の隔板及び第２の隔板には、刺激素子及び感知素子が単独で又は２種以上組み合わせられて配設され、刺激素子は、電気刺激用の素子、光刺激用の発光ダイオード（ＬＥＤ）素子及びレーザ素子のうちの少なくともいずれか一つであり、感知素子は、温度センサー、インピーダンスセンサー、血流センサー及び圧力センサーのうちの少なくともいずれか一つである。
更にまた、好ましくは、本考案の実施形態によるカスタマイズ型複合刺激が加えられる肌の機能改善用の立体陰圧複合刺激器モジュールは、陰圧の強度を経時的に制御し、刺激素子及び感知素子を制御する制御部を更に備える。
更にまた、好ましくは、目的部位又は肌には、制御部による時間的な立体刺激及び凹凸部による空間的な立体刺激を含む時空間的且つ立体的な陰圧刺激が伝わる。
すなわち、本願考案は、コップ内の空気を下部から上部へと流すように排気する陰圧伝達経路でもって陰圧刺激を肌に加えることを可能とした陰圧コップと、前記陰圧コップの陰圧伝達経路に多重に配設される多重の隔板と、を備え、前記多重の隔板は、目的部位又は肌と接触されるか、或いは、目的部位又は肌に最も近く配設される、第１の隔板と、前記第１の隔板から垂直方向又は上下方向に既に設定された距離だけ離れて前記目的部位又は肌と接触されないように配設される第２の隔板と、を少なくとも含んでなり、前記第２の隔板に、前記第１の隔板と接触または接近した目的部位又は肌に刺激を加える光刺激素子を設けてあり、前記陰圧伝達経路は、前記第１の隔板に複数設けた第１の排気熱孔と、前記第２の隔板に複数設けた第２の排気熱孔と、前記陰圧コップのハウジングに一箇所設けた第３の排気熱孔とで形成され、前記第１の排気熱孔および第２の排気熱孔を通る空気の流れが第３の排気熱孔に集約することを特徴とする、カスタマイズ型複合刺激が加えられる肌の機能改善用の立体陰圧複合刺激器モジュールを提供するものである。
【考案の効果】
【０００６】
上述したように、本考案によれば、陰圧コップの第１の隔板を介して肌や皮下組織の立体構造、特に、コラーゲン線維やエラスチン線維の再配列、膨張、形成刺激を立体的に加えることができ、肌や皮下組織の最大の変形度を有効に制限することにより安全な陰圧刺激を加えることができる他、各隔板に支持されて配設される種々の刺激素子を用いて複合刺激を実現することができ、種々の感知素子を用いて個人の肌の状態に合わせた刺激を実現することができるという効果がある。
また、本考案によれば、立体陰圧刺激を用いて肌や皮下組織の立体的な再配列、膨張、形成刺激を加えることができ、且つ、複合刺激及びカスタマイズ型刺激を一緒に実現することにより肌の機能を改善することができるという効果がある。
更に、本考案によれば、立体的な陰圧刺激を中心として電気刺激、可視光線、赤外線、紫外線を用いて光刺激などの複合刺激を広い肌接面に伝えることができ、且つ、肌インピーダンス、温度、血流など人体の局所肌及び肌近くの組織の状態を感知し、圧力センサーを用いて陰圧の状態を感知することにより、最適化した肌や皮下組織の変形及び組織再配列刺激を加える立体陰圧刺激を中心として様々な複合刺激を人体の状態に応じて調節するカスタマイズ型刺激を加えることができるという効果がある。
本明細書に添付される次の図面は、本考案の好適な一実施形態を例示するものであり、考案の詳細な説明とともに本考案の技術的思想をなお一層理解し易くする役割を果たすものであるため、本考案は、これらの図面に記載の事項にのみ限定されて解釈されてはならない。
【図面の簡単な説明】
【０００７】
【図１】本考案の一実施形態による単一隔板構造の陰圧コップの基本構造を示す図である。
【図２】本考案の一実施形態による第１の隔板の分離構造を示す図である。
【図３】本考案の一実施形態による多重隔板構造の陰圧コップの基本構造を示す図である。
【図４】本考案の一実施形態による空気の流れ又は陰圧の伝達経路を示す図である。
【図５】本考案の一実施形態による陰圧コップに刺激素子及び感知素子を配設した状態を示す図である。
【図６】本考案の一実施形態による陰圧コップに刺激素子及び感知素子を配設した状態を示す図である。
【図７】本考案の一実施形態により第１の隔板の周縁の境界線を広く形成して刺激素子及び感知素子を配設した状態を示す図である。
【図８】本考案の一実施形態により断面が円形の第１の隔板を下から見上げた形状を概略的に示す図である。
【図９】排気熱孔及び凹凸素子の形状、大きさ及び数が種々に構成可能であることを示す図である。
【図１０】本考案の一実施形態により断面が四角形状の第１の隔板を下から見上げた形状を概略的に示す図である。
【図１１】排気熱孔及び凹凸素子の形状、大きさ及び数が種々に構成可能であることを示す図である。
【図１２】本考案の一実施形態により第１の隔板を下から見上げた形状を概略的に示す図である。
【図１３】電気刺激素子と、排気熱孔及び凹凸素子の形状及び大きさが種々に構成可能であることを示す図である。
【図１４】本考案の一実施形態により第１の隔板を下から見上げた形状を概略的に示す図である。
【図１５】刺激素子と、感知素子と、排気熱孔及び凹凸素子の形状及び大きさが種々に構成可能であることを示す図である。
【図１６】本考案の一実施形態により第１の隔板を下から見上げた形状を概略的に示す図である。
【図１７】刺激素子の大きさ及び形状が種々に構成可能であることを示す図である。
【図１８】本考案の一実施形態により第１の隔板を下から見上げた形状を概略的に示す図である。
【図１９】刺激素子の大きさ及び形状が第１の隔板と同様に構成可能であることを示す図である。
【図２０】（ａ）従来の技術により陰圧刺激を加えるときに誘導される肌や皮下組織の変形及び立体的な再配列を示す模式図である。（ｂ）本考案の一実施形態により陰圧刺激を加えるときに誘導される肌や皮下組織の変形及び立体的な再配列を示す模式図である。
【図２１】本考案の一実施形態による影響を受ける肌や皮下組織を示す模式図である。
【図２２】本考案の一実施形態による第１の隔板の様々な表面形状を示す図である。
【図２３】本考案の一実施形態による第１の隔板の様々な表面形状を示す図である。
【図２４】本考案の一実施形態による第１の隔板の様々な表面形状を示す図である。
【図２５】本考案の一実施形態により第１の隔板の高低を調節して肌からの高さが大きい形状又は狭い目標領域に陰圧が集中する形状を示す図である。
【図２６】本考案の一実施形態により第１の隔板の高低を調節して肌からの高さが大きい形状又は狭い目標領域に陰圧が集中する形状を示す図である。
【図２７】本考案の一実施形態による立体陰圧刺激器の構成図である。
【図２８】本考案の一実施形態により陰圧刺激が肌に加えられることを示す図である。
【図２９】本考案の一実施形態による制御部及び他のモジュール間の制御構成図である。
【考案を実施するための形態】
【０００８】
以下、添付図面を参照して本考案の好適な一実施形態について説明する。また、後述する一実施形態は、特許請求の範囲に記載の本考案の内容を余計に限定せず、本考案の実施形態において説明される構成の全体が本考案の解決手段として必須的なものであるとはいえない。
本考案の一実施形態によるカスタマイズ型複合刺激が加えられる肌の機能改善用の立体陰圧複合刺激器モジュール（以下、立体陰圧複合刺激器モジュールと称する。）は、立体的な陰圧刺激を中心として肌の機能の改善に役立つ電流と、光と、温熱及び陰圧などの刺激を複合的に実現しながら肌の状態の感知機能を備えてカスタマイズ型複合刺激が加えられる肌の機能改善用の美容及び医療装置に関するものである。
本考案は、凹状の単一隔板の構造又は多重隔板の構造を有する立体陰圧刺激器１０の肌近接面である第１の隔板２０１の凹状の半球状表面に沿って配置された複合的な凹凸素子及び排気熱孔を用いて立体的な陰圧刺激を実現し、陰圧コップの各隔板は、排気熱孔を介して肌近接面である第１の隔板に陰圧を有効に集中若しくは分散させて伝え、且つ、隔板に支持されるように刺激素子及び感知素子を配設する。これにより、単なる陰圧刺激ではなく、肌若しくは皮下組織の立体配列を有効に変える立体的な陰圧刺激、微細電流刺激、光刺激、温熱刺激など多次元的な複合刺激を広い面積に対して安定的に実現し、インピーダンスセンサー、温度センサー、血流センサー、圧力センサーなどの感知部を用いて肌の状態を感知することにより、ユーザの好みに合わせたカスタマイズ型複合刺激を通じて肌美容の改善効果を効率よく達成する。以下、添付図面に基づき、本考案の一実施形態による立体陰圧複合刺激器モジュールについて詳細に説明する。
【０００９】
（隔板の構造）
図１に示すように、本考案の一実施形態による立体陰圧複合刺激器モジュールは、陰圧コップ２００により具体化され、陰圧コップ２００は、吸角コップ又はサクションコップに分けられるが、本考案はこれに何ら限定されるものではなく、陰圧により肌に刺激を伝える刺激器は、いずれも本考案の技術的な思想に含まれる。本考案の一実施形態による陰圧コップ２００は、図１に示すように、概ね第１の隔板２０１及び第３の隔板２０３を備える。第３の隔板２０３は、陰圧コップ２００のハウジング又は胴体を構成するものであり、全体の形状が概ね半球状又は凹状を呈する。このため、以下、第３の隔板２０３をハウジングと通称して説明する。第１の隔板２０１は、ハウジング２０３の内側に全体の形状が半球状又は凹状を呈するように配設され、他の実施形態として、第１の隔板２０１は、図２に示すように、ハウジング２０３と分離されてもよい。更に、図３に示すように、第２の隔板２０２は、全体の形状が半球状、凹状、凸状又は平面状を呈するように第１の隔板２０１の上側領域に付設される。
このため、必要に応じて、さらなる隔板がハウジング２０３の内側且つ第２の隔板２０２の上側領域に、又は第１の隔板２０１と第２の隔板２０２との間の領域に更に設けられる。このとき、第１の隔板２０１及びハウジング２０３により構成される場合には単一隔板構成と称し、第１の隔板２０１と、第２の隔板２０２及びハウジング２０３により構成される場合には多重隔板構成と称する。ハウジング２０３と、第１の隔板２０１及び第２の隔板２０２は、ステンレス鋼などの金属材（強固な材質又は半強固な材質）により形成される。但し、第１の隔板２０１は、肌に直接的に接触される隔板であり、硬い素材よりは、柔らかな素材により形成されることが更に好ましい。第１の隔板２０１が半球状を呈する場合、陰圧を生成し、且つ、肌に効率よく密着されながらも様々な立体的な陰圧刺激を与えるための構造としてのメリットがある。
図１は、本考案の一実施形態による肌接面を形成する半球状の第１の隔板２０１を下から見上げた様子を示す図である。第１の隔板２０１は、目的部位（例えば、肌若しくは皮下組織、以下では、肌と通称する。）に陰圧が伝わる経路の上、すなわち、例えば、図４に示すように、空気の流れ１０１、１０２、１０３の中間経路の上に配設され、目的部位の立体配列を有効に変えるように排気熱孔２０４及び凹凸部２０７を備える。
単一隔板構造又は多重隔板構造の各隔板には空気の流れの通風口（又は、空気孔）である排気熱孔２０４、２０５、２０６が形成され、第１の隔板２０１には凹凸部２０７が形成されてもよく、必要に応じて、凹凸部２０７が形成されずに後述する刺激素子２１０又は感知素子２３０が配設されてもよい。但し、肌の立体配列を有効に変えるためには、凹凸部２０７が形成されることが好ましい。第１の隔板２０１及び第２の隔板２０２には、陰圧を生成するための排気熱孔２０４、２０５が様々な大きさと、形状及び数を有するように様々な個所に配設され、且つ、第１の隔板２０１の肌接面には、様々な大きさと、形状及び数を有するように様々な個所に凹凸部２０７が配設される。
図１は、本考案の一実施形態による陰圧コップ２００の基本構造を示す図である。肌に接触されるか、或いは、肌に最も近い第１の隔板２０１に排気熱孔２０４及び凹凸素子２０７が形成される。第１の排気熱孔２０４を介して陰圧刺激が伝わるとき、肌は、第１の隔板２０１の凹状及び第１の隔板２０１の表面に配設された凹凸部２０７に沿って密接され、第１の排気熱孔２０４は、第１の隔板２０１の接触面に比べてさらなる陰圧を伝える個所となる。すなわち、第１の隔板２０１の上方域から伝わってくる陰圧が直接的に第１の排気熱孔２０４の近くの領域の肌に強く伝わり（直接伝達）、第１の隔板２０１の肌接面は、第１の排気熱孔２０４を介して伝わる陰圧が間接的に伝わることにより陰圧が加えられる（間接伝達）。
また、第１の排気熱孔２０４を介して第１の隔板２０１に陰圧を有効に集中若しくは分散させて肌に陰圧刺激を伝える。すなわち、図８から図１１に示すように、第１の排気熱孔２０４の形成個所をそれぞれ異ならせて、陰圧刺激をいずれか一つの肌領域に集中若しくは分散させて伝える。
第１の隔板２０１及び第２の隔板２０２は、ハウジング２０３の内側に、例えば、半球状に配設される。特に、第１の隔板２０１は、陰圧刺激に伴う肌の過度な変形を防ぐ（図２０（ｂ）参照）。すなわち、第１の隔板２０１は、半球状の構造を有し、全体的に凹度を調節することにより肌の過度な変形を防ぎ、且つ、凹度及び第１の隔板の表面形状（例えば、鋸歯状又は波打ち状など）に応じて予め設定された最適な範囲までのみ肌を物理的に且つ制限的に変形及び突出（最大の変形の制限）させる。このように、本考案は、半球状の構造及び表面形状により肌の変形値の範囲内において変形及び突出が起こるため、図２０（ａ）に示す従来の技術のように陰圧刺激が高過ぎる場合、肌や皮下組織の過度な変形及び静脈出血の不良反応が伴われる可能性を無くす。
【００１０】
図２０（ａ）は、従来の陰圧刺激器であり、陰圧刺激による肌若しくは皮下組織の全体的な変形度が有効に制御できないため、炎症後色素沈着過度などの不良反応が伴われる可能性がかなり高く、陰圧刺激が高過ぎる場合、肌若しくは皮下組織の過度な変形が起こり、これは、充血又は出血の原因となる。
これに対し、図２０（ｂ）は、本考案の陰圧コップ２００であり、たとえ陰圧刺激が加えられるとしても、肌の最大の変形度を第１の隔板２０１の凹状及び表面形状により有効に制限し、このような従来の技術の問題を解消する。また、第１の隔板２０１及び第２の隔板２０２は、凹凸部２０７と、後述する刺激素子２１０及び感知素子２３０が配設されるように支持台の機能をする。このため、第１の隔板２０１の面積と同じ面積に対して肌に刺激を加えることができるというメリットがある。
本考案は、第１の隔板２０１の表面に様々な立体凹凸素子２０７及び排気熱孔を配置することにより、肌若しくは皮下組織が３次元空間において膨張、再配列されるときに空間的に立体的な刺激を加え、制御部４３０を用いて陰圧の強度を経時的に調節して時間的に立体的な刺激を加える。すなわち、肌若しくは皮下組織の立体的な変形及び組織の再配列刺激を様々な方式で調節して角質、メラニン細胞、コラーゲン、エラスチン線維、毛嚢、汗腺、血管、リンパ、神経など組織の変形により刺激される様々な標的器官に対する最適化した刺激を加えて最適化した肌の機能の改善の刺激になるように調節することができるというメリットを有する。なお、上述した空間的な調節に加えて、感知部を用いて肌の状態を感知し、且つ、制御部４３０を用いて陰圧刺激を有効に制御することにより、陰圧刺激をなお一層最適化させる。
陰圧刺激が加えられるとき、第１の隔板２０１に接触する肌は、第１の隔板２０１に完全に若しくは略密着されるように変形される。このとき、第１の排気熱孔２０４が形成された個所では肌に更に高い陰圧刺激が伝わり、第１の隔板２０１の表面に沿って配設される様々な立体的凹凸部２０７の形状に倣って肌の変形様相が様々な方式により調節されることにより、肌の組織変形及び組織の再配列が様々な方式により行われる。これにより、コラーゲン線維やエラスチン線維など肌若しくは皮下組織を構成する組織成分（図２１参照）が空間的に立体的な変形、膨張又は再配列刺激を受ける。また、後述する制御部４３０を用いて陰圧刺激の強度を経時的に様々な方式で調節することにより、肌や皮下組織のコラーゲン線維やエラスチン線維などの組織立体構造が時間的に立体的な再配列刺激を受ける。これにより、コラーゲン線維やエラスチン線維の癒着／委縮の改善のための効果的な刺激を加える。なお、マイスナー小体、パチーニ小体など感覚受容体が組織の変形により刺激を受ける。加えて、毛嚢、汗腺、皮脂腺、血管、リンパ、神経、角質細胞、メラニン細胞又は脂肪細胞が立体的に変形、再配列刺激を受ける。
従来の陰圧刺激によるサクション装置又は吸角装置は、肌に陰圧刺激しか加えることができなかった。しかしながら、本考案は、第１の隔板２０１の表面に種々の形状を呈する凹凸部２０７及び第１の排気熱孔２０４を形成してこれらを介して空間的な立体刺激を伝え、且つ、制御部４３０を介して時間的な立体刺激を伝えることにより、肌若しくは皮下組織の構成要素の立体的な再配列刺激を有効に実現する。
第１の隔板２０１は、全体の形状が半球状又は凹状を呈し、肌が隔板の内方に陰圧刺激により立体的に変形されて第１の隔板２０１及び凹凸部２０７と密着される。このため、図２０（ｂ）に示すように、肌は、陰圧刺激により第１の隔板２０１の凹状に対応して凹方向に突出する。第１の隔板２０１の断面形状は、円形又は多角形を呈する。このとき、多角形は四角形であることが好ましい。第１の隔板２０１の肌接面の表面形状は、図２２から図２４に示すように、鋸歯状、円筒状又は波打ち状を呈することが好ましく、これらに加えて、平面状又はパルス状など様々な形状を呈する。陰圧刺激により、肌は、第１の隔板２０１の肌接面の表面形状に応じて様々な方式により立体変形が調節される。図７に示すように、第１の隔板２０１の周縁領域、すなわち、肌に接触される領域の面積を広く形成することにより、陰圧の印加有無を問わずに刺激素子２１０及び感知素子２３０を配置して別途の刺激を肌に伝え、肌の状態がフィードバックされる。このため、第１の隔板２０１の周縁部位を広く形成することにより、刺激素子２１０及び感知素子２３０を配設する方法に変形して実現する。
第１の隔板２０１には第１の排気熱孔２０４が形成され、必要に応じて、凹凸部２０７と、刺激素子２１０及び感知素子２３０が更に配設され、更に、第１の隔板２０１を電気を用いて暖めることにより血行を改善して陰圧刺激効果を極大化させる。
本考案の一実施形態による多重半球状の構造は、第２の隔板２０２及び第２の隔板２０２の上側方向又は下側方向に他の隔板をこの順に備えることにより具体化される。第２の隔板２０２は、全体の形状が半球状、凹状、凸状又は平面状を呈し、第１の隔板２０１と比較したとき、肌と直接的に接触せず、第１の隔板２０１の上側領域に配設され、全体の形状が平面状を呈する。第２の隔板２０２には、図３に示すように、第２の排気熱孔２０５が形成され、必要に応じて、第２の隔板２０２が支持台の機能をすることにより、刺激素子２１０又は感知素子２３０が配置される。第２の隔板２０２もまた、第１の隔板２０１と同様に、周縁領域を広げて刺激素子２１０及び感知素子２３０を配置する。第１の隔板２０１及び第２の隔板２０２は、下側から上側へ向かって（すなわち、肌側から第１の隔板へ向かって）流れる空気の流れの経路上（陰圧伝達経路上）に配設される。
本考案の一実施形態によるハウジング２０３は、最外側に配設される最終的な隔板であり、ハウジング２０３の天面若しくは側面には第３の排気熱孔２０６が形成されて陰圧コップ２００の下側から上側へ向かって流れる空気を最終的に排気する。第１及び第２の隔板、並びにハウジング２０１、２０２、２０３に形成される排気熱孔２０４、２０５、２０６により排気熱孔を経て陰圧が広い面積に亘って均一に伝わる。ハウジング２０３の第３の排気熱孔２０６を通過した空気は、本体部４００に吸い込まれる。
第１の隔板２０１は陰圧を生成し、肌に効率よく密着されながらも立体的な陰圧刺激を加えるために肌接面が全体的に凹面状（例えば、半球状構造）を呈する。また、陰圧刺激を加えるとき、肌若しくは皮下組織の構造的な変形様相を立体的に調節するために、第１の隔板２０１の全体の範囲若しくは一部の範囲に亘って円筒状、円球状、四角錐又は三角錐などのうちのいずれか一つの形状を呈する１つ以上の凹凸部２０７を種々の形状に配置することにより、陰圧刺激が加えられるとき、肌若しくは皮下組織の空間的な再配列様相を肌の機能の改善の目的に合わせて予め設定された最適な形状に調節する。なお、制御部４３０を用いて経時的に陰圧刺激の強度を調節することにより、時間的にも立体的な陰圧刺激を加える。
一方、第１及び第２の隔板並びにハウジング２０１、２０２、２０３には、様々な刺激素子２１０及び感知素子２３０を配設する。例えば、３重隔板構造（図３参照）の場合、最終的な隔板であるハウジング２０３の側面又は天面に排気熱孔２０６が配設されて陰圧コップ２００内の空気が外部に排気される。各隔板には肌に加えられる陰圧を伝える排気熱孔２０４、２０５、２０６が形成され、空気の流れは、ハウジング２０３の上端若しくは側面に配設される排気熱孔２０６を介して３重隔板及びハウジング構造の外側に排気される。各隔板は、半球状又は平面状などの様々な形状及び様々な大きさを有するように種々の個所に形成されるが、第１の隔板２０３は、凹状を呈することが好ましい。
図１は、陰圧コップ２００の基本構造を示す図であり、図３は、３重隔板構造を概略的に示す図である。基本構造は、第１の隔板２０１及びハウジング２０３を備え、３重隔板構造は、第１及び第２の隔板２０１、２０２並びにハウジング２０３を備える。排気熱孔の大きさ、形状及び配置位置は多岐に亘る。但し、最終的な隔板の天面若しくは側面に配設される排気熱孔２０６を介して陰圧コップ２００内の空気が排気されて陰圧刺激が肌の表面に加えられる。
【００１１】
（第１の隔板の分離構造）
本考案の一実施形態による第１の隔板２０１は、肌と直接的に接触される隔板であり、図１に示すように、ハウジング２０３の内側に組み込まれてもよく、図２に示すように、ハウジング２０３とは別設されてもよい。すなわち、ハウジング２０３とは別設される場合には、図２に示す第１の結合素子３１０及び第２の結合素子３２０によりハウジング２０３と組み合わせられる。結合素子３１０、３２０は、ハウジング２０３の周方向に複数配設され、陰圧が有効に伝わるように空気の流れを選択的に遮断若しくは許容する構造を有する。すなわち、第１の隔板２０１の排気熱孔２０４側にのみ空気が流れるように結合素子を用いて密閉して第１の隔板２０１と接触する肌に陰圧刺激を加えるような様々な構造を有する。例えば、結合素子３１０、３２０としては、螺子、螺子溝及びゴムパッキンが挙げられる。但し、分離型構造において第１の隔板２０１はモジュール状に配設されるため、ハウジング２０３と着脱し易い構造を有することが好ましく、このような構造は、本考案の技術的な思想を逸脱しない範囲内において採用可能である。
第１の隔板２０１が分離型構造を有する場合、様々なメリットが得られる。すなわち、一体型構造では第１の隔板２０１が肌と直接的に接触されるが故に患者が同じ陰圧コップ２００を用いる場合に非衛生的であるという問題があったが、分離型構造では第１の隔板２０１がモジュール状に配設されるので、第１の隔板２０１のみを各患者が自分の状況に合わせて用いるので、遥かに衛生的である。なお、分離型構造では第１の隔板２０１がモジュール状に配設されてハウジング２０３と着脱され易く、その結果、製品が故障したときに第１の隔板２０１のみ取り替えればよいので、遥かに経済的である。
一方、第１の隔板２０１を陰圧コップ２００とは別設して第１の隔板２０１を肌に接触させた状態で陰圧コップ２００と組み合わせて立体陰圧刺激を肌に加える。
【００１２】
（単一隔板構造及び多重隔板構造）
図１は、第１の隔板２０１及びハウジング２０３を備える単一隔板構造を示す図であり、図３は、第１及び第２の隔板２０１、２０２並びにハウジング２０３を備える多重隔板構造を示す図である。図３の多重隔板構造では、肌と直接的に接触される第１の隔板２０１の上側に第２の隔板２０２が配設され、第２の隔板２０２の上側に最終的な隔板としてハウジング２０３が配設される。
各隔板は、立体陰圧刺激用の凹凸部２０７又は刺激素子２１０や感知素子２３０が配設される程度に強固若しくは半強固な材質により形成され、各隔板には排気熱孔２０４、２０５、２０６が配設されて排気熱孔を経て陰圧が広い面積に亘って均一に伝わる。
一方、第１の隔板２０１は、半球状を呈するように一体形に製作されてもよく、モジュール状に複数のモジュールを別々に製作してハウジング２０３の内側に組み込んでもよい。例えば、それぞれ半球状の網目フレームを作り、それぞれの半球状の網目フレームをハウジング２０３の内側に所定の間隔を隔てて組み込むことにより、半球状の第１の隔板２０１を形成する。このときには、第１の排気熱孔２０４が網目孔になる。
単一隔板構造又は多重隔板構造において、第１の隔板２０１は、全体的な凹構造を調節して陰圧刺激を加えるときに誘導される肌若しくは皮下組織の変形度を有効に制限し、且つ、各隔板は、様々な刺激素子及び感知素子を配設するように強固若しくは半強固な材質により形成される。
【００１３】
（空気の流れ）
図４に示すように、陰圧を生成する空気の流れは、陰圧コップ２００の下側から上側へ向かって形成される。それぞれの空気の流れ１０１、１０２、１０３は、第１乃至第３の隔板２０１、２０２、２０３に形成されるそれぞれの排気熱孔２０４、２０５、２０６を通過して本体部４００へ導かれる。このため、陰圧コップ２００内の空気を本体部４００に排気し、空気の流れは陰圧伝達経路を形成する。
図４に示すように、第１の隔板２０１の排気熱孔２０４を介して陰圧コップ２００内の空気が排気される空気の流れ１０１、１０２、１０３が形成されて肌に陰圧刺激を加え、肌は、陰圧コップ２００の内方に組織が変形され、凸状に突出する。第１の隔板２０１の表面には、全体の範囲若しくは一部の範囲に亘って円筒状、円球状、四角錐状又は三角錐状などのうちのいずれか一つを呈する１つ以上の凹凸部２０７を種々の形状に配置する。また、排気熱孔２０４の形成個所は、排気熱孔２０４の非形成個所（例えば、第１の隔板の肌接面）に比べて陰圧がより強く伝わる個所になるので、陰圧により肌や皮下組織のコラーゲン線維やエラスチン線維などが３次元空間において膨張、再配列される刺激が立体的に加えられる。また、制御部４３０において陰圧の強度を経時的に調節することにより、時間的にも立体的な陰圧刺激を加える。すなわち、空間的及び時間的な立体陰圧刺激を用いて、肌の機能の改善の目的に応じて予め設定された最適な強度の刺激を実現する。更に、陰圧刺激が加えられるとき、肌や皮下組織の最大の変形度及び突出度が第１の隔板の半球状若しくは凹状の構造により物理的に制限されるので、陰圧刺激による過度な肌の変形やこれに関わる色素沈着過度などの不良の反応の発生可能性が有効に遮断される。すなわち、従来のサクションや吸角刺激は、陰圧刺激を加えるとき、刺激を受ける個人の肌及び身体特性が弱いか、過敏傾向にあるか、或いは、過度な陰圧刺激が加えられる場合、肌や皮下組織の過度な変形及び静脈出血の不良反応が伴われる虞があった。しかしながら、本考案においては、第１の隔板２０１の半球状若しくは凹状の構造により設定される最大の肌組織の変形値の範囲内において肌若しくは皮下組織の変形及び突出が起こるため、このような不良反応が伴われる可能性を極力抑えることができるというメリットがある。また、シワの改善、肌の血行の改善及びそれに伴う美白、補湿、保温など各効能に合わせて第１の隔板２０１の大きさ、形状及び凹度を調節し、陰圧の強度を制御部４３０において調節することにより、予め設定された最適な陰圧刺激を肌や皮下組織に加えることができるというメリットがある。
また、第２の隔板２０２に付設される刺激素子２１０、例えば、光刺激用の発光ダイオード（ＬＥＤ）素子２１２から発せられた光刺激が第１の隔板２０１の排気熱孔２０４を介して第１の隔板２０１の下の肌に照射される。従来の陰圧刺激の場合、陰圧刺激が肌に加えられるとき、肌がどれほど変形されるか、すなわち、陰圧刺激器の構造の内部に肌がどれほど突出するかを予想又は調節することが困難であり、このため、陰圧刺激とともに加えられる複合刺激を源泉的に最適化させ難く、不良反応を引き起こす可能性があるという欠点があった。しかしながら、本考案においては、第２の隔板２０２に配設される刺激素子２１０から発せられる刺激、例えば、光刺激が達するべき理想的な個所は、第１の隔板２０１により制限される肌若しくは皮下組織の変形個所であるため、第２の隔板２０２に刺激素子２１０を配置し、刺激方法及び刺激量を設計するとき、最適な距離及び形状が設定可能であるというメリットがある。第１の隔板２０１には電気刺激用の素子２１１を配置して電気刺激用の素子が肌に密着されて刺激を加える。
【００１４】
（排気熱孔及び凹凸部）
図１及び図３に示すように、第１の隔板２０１には第１の排気熱孔２０４及び凹凸部２０７が形成され、第２の隔板２０２には第２の排気熱孔２０５が形成され、ハウジング２０３には第３の排気熱孔２０６が形成される。排気熱孔２０４、２０５は、空気を通過させる通風口（空気孔）であり、排気熱孔を介して肌に陰圧刺激が伝わる。特に、第１の排気熱孔２０４近くの肌領域には排気熱孔ではない個所に比べて高い陰圧刺激が伝わる。
一方、排気熱孔２０４、２０５、２０６は、空気を通過させる通風口として働くだけではなく、第２及び第３の隔板２０２、２０３に配設される刺激素子２１０から発せられる刺激を肌に直接的に達させる通路の役割を果たし、第２及び第３の隔板２０２、２０３に配設される感知素子２３０に肌の状態を感知させる通路の役割を果たす。このため、本考案の陰圧コップ２００は、様々な刺激素子２１０及び感知素子２３０を備えることにより、複合刺激機能及び複合感知機能を立体的に実現する。第１及び第２の排気熱孔２０４、２０５は、各隔板２０１、２０２の凹状の半球状の表面に沿って形成され、第３の排気熱孔２０６は、ハウジング２０３の天面若しくは側面に形成される。排気熱孔２０４、２０５、２０６は微細な点状を呈し、全体の隔板が網状を呈する形状をはじめとして、線形、円形、多角形、文字状、記号状又はプレート状など様々な形状を呈する。最終的な隔板であるハウジング２０３の天面若しくは側面には、陰圧コップ２００の内部の空気が最終的に排気される第３の排気熱孔２０６が形成される。第１乃至第３の排気熱孔２０４、２０５、２０６は、空気を通過させる通風口の役割を果たせばよいので、その形状として様々な形状が採択され、本考案においてはその形状を限定しない。
図１及び図３に示すように、第１の隔板２０１には凹凸部２０７が形成される。凹凸部２０７は、陰圧刺激が加えられるとき、肌の部分的な変形様相を予め設定された最適度に調節する。このため、凹凸部２０７の形成個所及び形成形状に応じて肌の変形が立体的に調節される。陰圧刺激が加えられるとき、肌若しくは皮下組織の構造的な変形様相を立体的に調節するために、第１の隔板２０１の全体の範囲若しくは一部の範囲（図８から図１１参照）に亘って円筒状、円球状、四角錐状又は三角錐状などのうちのいずれか一つの形状を呈する凹凸部２０７が一つ以上配置される。
従来のサクション、吸角などの陰圧刺激は、陰圧による肌や皮下組織の変形を適切に制限し難かった。本考案は、第１の隔板２０１の全体的な凹度により肌若しくは皮下組織の変形を適切に制限して陰圧刺激による炎症後色素沈着過度などの不良反応を有効に極力抑える。これに加えて、第１の隔板２０１の肌接面に様々な大きさ、形状及び数を有するように様々な個所に配置される凹凸部２０７及び排気熱孔２０４を用いて、角質細胞、メラニン細胞、コラーゲン、エラスチン線維、血管、リンパ、神経、マイスナー小体  、パチーニ小体など肌や皮下組織の構成成分を３次元空間において立体的に且つ種々に変形させることにより、生理的な範囲の再生刺激を加えて肌の機能の改善のための最適な立体陰圧刺激を加える。なお、制御部４３０において陰圧の強度を経時的に調節し、感知素子２３０により感知される個人別の肌の状態を考慮してさらなる調節を行うことにより、空間的且つ立体的な陰圧刺激を個人の状態に合うカスタマイズ型刺激として加えて肌の機能改善のための最適な刺激を加える。
【００１５】
（刺激素子及び感知素子）
感知素子２３０は、概ね温度センサー２３１と、インピーダンスセンサー２３２と、血流センサー２３３及び圧力センサー２３４を備え、陰圧コップ２００の隔板に配設型若しくは一体型に設けられる。配設型に設けられる場合、隔板の特定の領域に配設される。一体型に設けられる場合、刺激素子２３０を駆動するための回路もまた隔板に一体型に製作される。
インピーダンスセンサー２３２は、肌に接触される素子と対応する素子間の抵抗値を測定し、必要に応じて、増幅器を備える。温度センサー２３１は、非接触式赤外線センサー若しくは接触式センサーを単独で又は併用して肌表面の温度及び周りの温度を両方とも測定する。超小型サーミスタなどの素子や超精密サーモカップルなどの素子が肌の温度の測定のために用いられる。血流センサー２３３は、発光ダイオード（ＬＥＤ）光源及びフォトダイオードを備えて、肌内の血管に流れる血流の量を電流又は電圧信号に切り換える。発光ダイオード（ＬＥＤ）光源は、光刺激のために併用される。圧力センサー２３４は、陰圧の状態をフィードバックするために、陰圧コップ２００内の圧力の状態を測定する。
刺激素子２１０は、概ね電気刺激用の素子２１１及び光刺激発光ダイオード（ＬＥＤ）素子２１２を備え、熱刺激素子を更に備える。電気刺激用の素子２１１は、電位差を有する電極板により構成される。微細電流を均一に流すために、多数枚の電極板を配置する。光刺激発光ダイオード（ＬＥＤ）素子２１２のために、発光ダイオード（ＬＥＤ）光源としては、肌の刺激に有効な波長帯の発光ダイオード（ＬＥＤ）が用いられ、１以上の波長帯を単数に若しくは複数組み合わせて構成する。熱刺激のために発熱素子が設けられる。
一方、光刺激を加えるために、発光ダイオード（ＬＥＤ）素子２１２を用いる方法を挙げたが、光刺激を加えるための他の方法であるレーザ素子を用いる方法は、発光ダイオード（ＬＥＤ）素子を用いる方法に比べて、刺激の照射個所が非常に制限的であるため、陰圧刺激器の肌接触線の内部の面積の全体に対する複合刺激を加え難い。このため、本考案における光刺激は、発光ダイオード（ＬＥＤ）素子を用いて加えることが好ましいが、必要に応じて、レーザ素子を用いてもよい。
【００１６】
（排気熱孔、凹凸部、刺激素子、感知素子の配置）
図５は、第１及び第２の隔板２０１、２０２に刺激素子２１０を配設した状態を示す図である。刺激素子２１０は、多種多様なものが様々な大きさ、形状及び数を有するように様々な個所に配設され、図５に示すように、第１の隔板２０１には電気刺激素子２１１が配置され、第２の隔板２０２に光刺激発光ダイオード（ＬＥＤ）素子２１２が配置される。従来の陰圧刺激及び複合刺激装置は、刺激用の素子を配設する方法が非常に制限的であるか、或いは、陰圧刺激本然の刺激を制約しながら他の刺激を加えることを余儀なくされるという欠点があった。しかしながら、本考案においては、第１乃至第３の隔板２０１、２０２、２０３が強固な支持台の役割を果たすので、多種多様な刺激用の素子を様々な大きさ、形状及び数を有するように様々な個所に配設することができるというメリットがある。陰圧刺激が第１の隔板２０１を通過して肌に加えられる間に、肌は、陰圧刺激により変形され且つ突出されて第１の隔板２０１に密着される。このとき、第１の隔板２０１の電気刺激用の素子２１１を介して微細電流刺激が、第２の隔板２０２の光刺激用の発光ダイオード（ＬＥＤ）素子２２１から発せられた光刺激が第１の隔板２０１の排気熱孔２０４を介して肌に照射されて刺激が加えられる。既存の考案によるものは、陰圧刺激を加えるとき、電気刺激が加えられる個所が非常に制限的であるか、或いは、陰圧刺激用のコップ状の構造物の周りの円形個所に制限されるか、光刺激が加えられる個所が非常に制限的であるが故に、陰圧刺激が加えられる広い面と一致しないという欠点があった。しかしながら、本考案においては、第１の隔板２０１に多種多様な排気熱孔２０４を様々な大きさ、形状及び数を有するように様々な個所に配設し、陰圧刺激用の凹状の構造物の周りの円形個所に加えて、肌接面の全体の面積のほとんどの領域に対して電気刺激、光刺激を加えることにより、実質的に第１の隔板２０１の面積と略同じ面積に対して陰圧刺激、電気刺激及び光刺激を加える。すなわち、第１の隔板２０１の周縁の内部の略全体の面積に対する複合刺激を安定的に実現することができるというメリットがある。なお、感知部を用いて肌の状態を感知して様々な刺激を個人別、状態別の特性に応じて調節して加えることにより、全体の面積に対するカスタマイズ型刺激を実現することができるというメリットがある。
図６には、各隔板に配置された感知素子２３０が示されている。感知素子２３０は、多種多様なものが様々な大きさ、形状及び数を有するように様々な個所に配設される。従来の陰圧刺激及び複合刺激装置は、感知素子を配設する方法が非常に制限的であるか、或いは、陰圧刺激本然の刺激を制限しながら感知素子を配設することを余儀なくされるという欠点があった。しかしながら、本考案においては、第１乃至第３の隔板２０１、２０２、２０３が強固な支持台の役割を果たし、各隔板の排気熱孔が各隔板を通過して陰圧を均一に且つ円滑に伝えるので、陰圧刺激を制約することなく各隔板に感知素子を配置することができ、感知素子を配置する過程において引き起こされる陰圧刺激の効率低下や歪みの発生可能性を無くすことができるというメリットがある。図６に示すように、第１の隔板２０１には温度センサー２３１及びインピーダンスセンサー２３２を配置し、第２の隔板２０２には血流センサー２３３を配置し、第３の隔板２０３には圧力センサー２３４を配置する。但し、図５及び図６の刺激素子２１０及び感知素子２３０の配置構造は、必要に応じて変形可能である。
第１の隔板２０１に形成される排気熱孔２０４は、図８及び図９に示すように、凹凸部２０７と対をなして、又は互いに混ざって形成され、図８には、排気熱孔２０４及び凹凸部２０７が第１の隔板２０１の一部の領域に形成された状態が示され、図９には、排気熱孔２０４及び凹凸部２０７が第１の隔板２０１の全体の領域に形成されることが示されている。図８及び図９は、第１の隔板２０１の断面形状が円状であり、図１０及び図１１は、第１の隔板２０１の断面形状が四角形である。図１０及び図１１は、図８及び図９と比較して、排気熱孔及び凹凸部の形成個所が同じであり、第１の隔板２０１の断面形状のみが異なる。図８から図１１は、排気熱孔２０４及び凹凸部２０７の形状、大きさ及び数を種々に変形可能であることを示す。
図１２及び図１３は、第１の隔板２０１に刺激素子２１０を様々な方式を用いて配置することを示す。排気熱孔２０４の形成個所を避けて電気刺激素子２１１が様々な大きさ、形状及び数を有するように様々な個所に配設される。
図１４及び図１５は、第１の隔板２０１に刺激素子２１０及び感知素子２３０を様々な方式を用いて配置することを示す。排気熱孔２０４の形成個所を避けて、電気刺激素子２１１に加えて、温度センサー２３１と、インピーダンスセンサー２３２と、血流センサー２３３及び凹凸部２０７が様々な大きさ、形状及び数を有するように様々な個所に配設される。
図１６から図１９は、第１の隔板２０１に刺激素子２１０の大きさ及び位置を種々に変形して配置することを示す図である。排気熱孔２０４の形成個所を避けて電気刺激素子２１１が様々な大きさ及び形状を有するように配置される。図１８及び図１９は、電気刺激素子２１１を第１の隔板２０１と同じ大きさ及び形状を有するように配置することを示す図である。第１の隔板２０１の全体の面積うち、排気熱孔２０４を除く全体の面積が電気刺激素子２１１の役割を果たすように配置する。
【００１７】
（第１の隔板の距離調節）
図２５及び図２６は、第１の隔板２０１の様々な形成個所を示す図である。上述したように、ハウジング２０３と別設可能であり、この場合、第１の隔板２０１を標的の肌部位に接触させた後、隔板の天面若しくは周りに陰圧刺激器若しくは陰圧刺激用の吸角やサクション装置を接触させることにより、陰圧刺激が加えられるとき、第１の隔板２０１を介して立体陰圧刺激を加える。また、図２５に示すように、第１の隔板２０１の全体が肌の表面から遠く離れて配設されて標的の肌部位の全体に対して距離を維持する例と、図２６に示すように、第１の隔板２０１の一部の領域にのみ肌から遠く離れて配設されて狭い領域に対して陰圧を集中的に加える例などがある。このため、目的に応じて、第１の隔板２０１と標的の肌部位との間の全体の距離を増やしてもよく、標的の肌部位を狭い領域に限って陰圧刺激を加えてもよい。
【００１８】
（本体部）
本考案の一実施形態による立体陰圧刺激器１０は、図２７に示すように、本体部４００であるＵＳＢ充電部４１０と、操作部４２０と、制御部４３０と、バッテリ部４４０と、モータ４５０と、ファン４６０及び回路基板部４７０（プリント回路基板（ＰＣＢ））と上述した陰圧コップ２００とが組み合わせられて（又は、接続されて）立体陰圧を肌に伝える。ＵＳＢ充電部４１０は、携帯用の立体陰圧刺激器１０を充電するＵＳＢ端子により具体化され、バッテリ部４４０は、立体陰圧刺激器１０に電気を供給するものであり、リチウムイオンバッテリにより具体化されるが、充電方式及びバッテリの種類は多岐に亘っており、本考案においては充電方式及びバッテリの種類を制限しない。このため、携帯用の立体陰圧刺激器又は固定式の立体陰圧刺激器に合う様々な充電方式及びバッテリが使用可能である。このとき、固定式立体陰圧刺激器とは、商用電源に差し込んで使用するものをいう。ＵＳＢ充電部４１０及びバッテリ部４４０は電源供給部であり、外部の電源端子から電源を供給されて立体陰圧刺激器１０の動作に必要な電源を供給する。
モータ４５０及びファン４６０は、制御部４３０の制御信号に基づいて動作して、図２７に示すように、空気の流れ１００が導かれるように陰圧を発生する。すなわち、モータ４５０及びファン４６０が動作すると、肌側から陰圧コップ２００へ向かって空気の流れが導かれて空気が排気熱孔を通過し、再び陰圧コップ２００側から本体部４００へ向かって空気の流れ１００が導かれて陰圧が発生する。陰圧が発生すると、図２８に示すように、肌２０が突出方向２１（又は、陰圧コップ方向）に突出して陰圧刺激を受ける。陰圧の強度は、制御部４３０がモータ４５０及びファン４６０を駆動する速度による。
回路基板部４７０には、ＵＳＢ充電部４１０と、操作部４２０と、バッテリ部４４０と、モータ４５０及びファン４６０を駆動するための各種の素子が配置され、駆動回路が実現される。操作部４２０には、ユーザが立体陰圧刺激器１０を操作するための各種のボタンが設けられ、操作のために、タッチスクリーンが設けられる。更に、ユーザにリアルタイムにて操作に伴う立体陰圧刺激器１０の状態を表示するための表示部（図示せず）が設けられる。例えば、圧力センサー２３４から制御部４３０に信号が入力され、制御部４３０が入力された信号に基づいて陰圧の強度を表示部を用いて表示する。
制御部４３０は、図２９に示すように、操作部４２０の操作に対応する制御信号を生成し、バッテリ部４４０と、モータ４５０及びファン４６０の駆動を制御し、感知部２３０から入力された信号に基づいて肌の状態を感知してフィードバック制御を行い、刺激部２１０に制御信号を送って複合刺激を肌に伝える。なお、表示部を制御してユーザに現在の肌の状態又は立体陰圧刺激器の状態を表示する。
制御部４３０は、例えば、電流刺激、光刺激及び陰圧刺激の複合刺激を加える場合には、下記の構成を有する。電流制御部は、電気刺激素子２１１が肌に電流刺激を加えるように微細電極素子に流れる電流量を制御し、電流波形を発生する。このとき、電流量は、肌に刺激を加えるための微細電流である。電流波形は、矩形波、正弦波又は任意の波形の波である。発光ダイオード（ＬＥＤ）制御部は、発光ダイオード（ＬＥＤ）光源に必要な電流量を調節する。また、複数の波長帯の発光ダイオード（ＬＥＤ）光源が同じ光量を維持するように各発光ダイオード（ＬＥＤ）光源素子の電流を制御する。発光ダイオード（ＬＥＤ）制御部は、光源の光量の測定のために、照度センサーからデータを受け取る。陰圧制御部は、吸入のための駆動モータ及びファンの動作を制御する。陰圧の強度に対する値は、圧力センサーからフィードバックされる。
以上、本考案の一実施形態を参照して説明したが、本考案がこれに限定されることはなく、種々に変形及び応用可能である。すなわち、本考案の要旨を逸脱しない範囲内において種々に変形可能であるということは当業者にとって理解できる筈である。なお、本考案と関連する公知の機能及びその構成又は本考案の各構成要素に対する結合関係に関する具体的な説明が本考案の要旨を曖昧にする虞があると認められる場合には、その具体的な説明を省略したことに留意すべきである。
【図１】
0003218105.tif 000003
【図２】
0003218105.tif 000004
【図３】
0003218105.tif 000005
【図４】
0003218105.tif 000006
【図５】
0003218105.tif 000007
【図６】
0003218105.tif 000008
【図７】
0003218105.tif 000009
【図８】
0003218105.tif 000010
【図９】
0003218105.tif 000011
【図１０】
0003218105.tif 000012
【図１１】
0003218105.tif 000013
【図１２】
0003218105.tif 000014
【図１３】
0003218105.tif 000015
【図１４】
0003218105.tif 000016
【図１５】
0003218105.tif 000017
【図１６】
0003218105.tif 000018
【図１７】
0003218105.tif 000019
【図１８】
0003218105.tif 000020
【図１９】
0003218105.tif 000021
【図２０】
0003218105.tif 000022
【図２１】
0003218105.tif 000023
【図２２】
0003218105.tif 000024
【図２３】
0003218105.tif 000025
【図２４】
0003218105.tif 000026
【図２５】
0003218105.tif 000027
【図２６】
0003218105.tif 000028
【図２７】
0003218105.tif 000029
【図２８】
0003218105.tif 000030
【図２９】
0003218105.tif 000031